(57)【要約】【課題】専用キーボードを必要とする業務処理に対して専用キーボード以外のキーボードを使用可能とする。【解決手段】使用可能なキーボードの種類毎に、そのキーボードから入力される各物理キーコードにそれぞれ対応して業務ソフトウェアに対する各論理キーコードを設定してなるキーコード変換設定ファイルを設ける。また、使用可能なキーボードの中から使用するキーボードを指定するキーボード指定手段を設ける。そして、キーボード指定手段により指定されたキーボードに対するキーコード変換設定ファイルのデータを有効にし、キーボードから入力される物理キーコードを有効化されたキーコード変換設定ファイルのデータを参照して論理キーコードに変換し、この変換された論理キーコードを入力として業務ソフトウェアを実行する。【選択図】      図７
2005115691.tif 000002
【特許請求の範囲】
【請求項１】
専用キーボードを必要とする業務ソフトウェアを実行して特定の業務処理を行うことが可能であり、かつ前記専用キーボードを含む複数種類のキーボードを使用可能な情報処理装置において、
前記使用可能なキーボードの種類毎に設けられ、そのキーボードから入力される各物理キーコードにそれぞれ対応して前記業務ソフトウェアに対する各論理キーコードを設定してなるキーコード変換設定ファイルと、
前記使用可能なキーボードの中から使用するキーボードを指定するキーボード指定手段と、
このキーボード指定手段により指定されたキーボードに対する前記キーコード変換設定ファイルのデータを有効にする変換ファイル有効化手段と、
前記キーボードから入力される物理キーコードを前記変換ファイル有効化手段によって有効化されたキーコード変換設定ファイルのデータを参照して論理キーコードに変換するキーコード変換手段と、
このキーコード変換手段により変換された論理キーコードを入力として前記業務ソフトウェアを実行するソフトウェア実行手段と、
を具備したことを特徴とする情報処理装置。
【請求項２】
前記専用キーボード以外で使用可能なキーボードの中で前記専用キーボードよりキー数が少なく前記専用キーボードの各キーに対応するキーが不足するキーボードに対して不足するキーのリストを設定するソフトキー設定ファイルと、
前記キーボード指定手段により指定されたキーボードが前記ソフトキー設定ファイルに対応したキーボードであるとき、当該ソフトキー設定ファイルのデータを有効化するキーファイル有効化手段とを具備し、
前記ソフトウェア実行手段は、前記ソフトキー設定ファイルのデータが有効化された状態において前記ソフトキーが指示されると前記ソフトキー設定ファイルに設定されたキーのリストを表示部に表示させ、リストの中から選択操作されたキーに対応する論理キーコードを入力として前記業務ソフトウェアを実行することを特徴とする請求項１記載の情報処理装置。
【発明の詳細な説明】
【技術分野】
【０００１】
本発明は、財務管理，人事管理等の特定の事務業務を処理する業務ソフトウェアを実行可能な情報処理装置に関する。
【背景技術】
【０００２】
例えば事務用コンピュータは、売上請求管理業務，見積管理業務，給与計算業務等の事務業務を処理し、請求書，見積書，給与明細等の各種書類の作成及び発行や、元帳の作成，各種分析資料の作成等を可能にした専用の情報処理装置であり、専用の業務ソフトウェアがインストールされている。また、この事務用コンピュータには、業務ソフトウェアの実行に必要な論理キーコードが各キーにそれぞれ割当てられた専用キーボードが搭載されている。
【０００３】
このような専用機において、専用キーボードから標準ＯＳ及び標準アプリケーションへのコマンド入力をも可能にするために、専用キーボードから入力された物理キーコードをシステム動作状態に対応して論理キーコードに変換し、専用アプリケーションと標準アプリケーションとを具備するアプリケーション部に送出するようにしたものはあった（例えば、特許文献１参照）。
【０００４】
また最近は、各種の事務業務毎にアプリケーションソフトウェアが開発され販売されており、これらのアプリケーションソフトウェアを汎用の情報処理装置であるパーソナルコンピュータ（以下、パソコンと略称する）にインストールし実行することによって、パソコンを事務用コンピュータとして機能させることも行われている。ただし、パソコンにはＡＳＣＩＩ配列やＪＩＳ配列等に準拠した標準キーボードが搭載されており、業務ソフトウェアの実行に必要な論理キーコードを全て入力するのが困難であるため、パソコンに専用キーボードを外付接続して使用していた。
【特許文献１】特開平６−２７４２６３号公報
【発明の開示】
【発明が解決しようとする課題】
【０００５】
ところで、事務用コンピュータとして機能させるパソコンとして従来は高性能のデスクトップ型パソコンが用いられていたが、最近のノート型パソコンの性能向上には著しい進歩があるため、ノート型パソコンを事務用コンピュータとして機能させることも可能となってきた。持ち運びが容易なノート型パソコンを事務用コンピュータとして機能させることができれば、例えばユーザが客先に出向いた際に顧客の面前で見積書や請求書を作成する運用を取ることができ、便利である。
【０００６】
しかし、ノート型パソコンに搭載されている標準のキーボードでは専用の業務ソフトウェアを実行することができないので、パソコンとともに専用キーボードを持ち運ばなければならない煩雑さがあった。
【０００７】
本発明はこのような事情に基づいてなされたもので、その目的とするところは、専用キーボードを必要とする業務処理に対して専用キーボード以外のキーボードを使用することができ、実務の向上を図り得る情報処理装置を提供しようとするものである。
【課題を解決するための手段】
【０００８】
本発明は、専用キーボードを必要とする業務ソフトウェアを実行して特定の業務処理を行うことが可能であり、かつ専用キーボードを含む複数種類のキーボードを使用可能な情報処理装置において、上述した技術的課題を解決するために、使用可能なキーボードの種類毎に、そのキーボードから入力される各物理キーコードにそれぞれ対応して業務ソフトウェアに対する各論理キーコードを設定してなるキーコード変換設定ファイルを設ける。また、使用可能なキーボードの中から使用するキーボードを指定するキーボード指定手段を設ける。そして、キーボード指定手段により指定されたキーボードに対するキーコード変換設定ファイルのデータを有効にし、キーボードから入力される物理キーコードを有効化されたキーコード変換設定ファイルのデータを参照して論理キーコードに変換し、この変換された論理キーコードを入力として業務ソフトウェアを実行するようにしたものである。
【発明の効果】
【０００９】
かかる手段を講じた本発明によれば、専用キーボードを必要とする業務処理に対して専用キーボード以外のキーボードを使用することができ、実務の向上を図り得る情報処理装置を提供することができる。
【発明を実施するための最良の形態】
【００１０】
以下、本発明の実施の形態を図面を用いて説明する。  
なお、この実施の形態は、各種の事務業務毎に開発された複数のアプリケーションソフトウェアがインストールされ、事務用コンピュータとして使用することが可能なノート型パソコンに本発明を適用した場合である。
【００１１】
図１は、本実施の形態である情報処理装置（ノート型パソコン）の要部構成を示すブロック図である。この情報処理装置は、装置本体１に、ＣＰＵ（Central Processing Unit）２，ＲＯＭ（Read Only Memory）３，ＲＡＭ（Random Access Memory）４，ＨＤＤ（Hard Disk Drive）装置５，キーボードコントローラ６，表示コントローラ７等を内蔵している。また、ＵＳＢ（Universal Serial Bus）等の標準化された通信インターフェイス８，マウスインターフェイス９，プリンタインターフェイス１０，キーボードインターフェイス１１，ＰＣカードスロット１２，メモリカードスロット１３等が装置本体１に実装されている。さらに、キーボードコントローラ６によって制御されるキーボード１４と、表示コントローラによって制御されるディスプレイ１５とが、装置本体１に取り付けられている。ＣＰＵ２と、ＲＯＭ３，ＲＡＭ４，ＨＤＤ装置５，キーボードコントローラ６，表示コントローラ７，通信インターフェイス８．マウスインターフェイス９，プリンタインターフェイス１０，キーボードインターフェイス１１，ＰＣカードスロット１２，メモリカードスロット１３とは、アドレスバス，データバス等のバスライン１６で接続されている。
【００１２】
キーボード１４は、当該情報処理装置、すなわちノート型パソコンに標準で付いている小型キーボード（以下、ノートＰＣキーボード１４と称する）である。そして当該情報処理装置は、上記ノートＰＣキーボード１４以外に、複数種類のキーボードをキーボードインターフェイス１１に外付接続して使用できるようになっている。なお、本実施の形態では、外付用のキーボードとして、デスクトップ型パソコンに標準で付いているフルキーボード（以下、デスクトップＰＣキーボード１７と称する）と、事務用コンピュータ専用機に付いている専用キーボード（以下、事務コン専用キーボード１８と称する）とを使用可能とする。
【００１３】
かかる構成の情報処理装置には、事務用コンピュータとして機能させるために、売上請求管理業務，見積管理業務，給与計算業務等の事務業務別に開発されたアプリケーションソフトウェア（以下、事務コンソフトと称する）がインストールされ、ＨＤＤ装置５に保存されている。そしてユーザが、これらの事務コンソフトを選択的に実行することにより、当該情報処理装置では、売上請求管理業務，見積管理業務，給与計算業務等の事務業務が処理され、請求書，見積書，給与明細等の各種書類の作成及び発行や、元帳の作成，各種分析資料の作成等が行われるようになっている。
【００１４】
また、この情報処理装置には、キーコード入力手段として実装されたノートＰＣキーボード１４を使用するか、外付接続されるデスクトップＰＣキーボード１７または事務コン専用キーボード１８を使用するかを指定するためのアプリケーションソフト（以下、キーボード指定ソフト）がインストールされ、ＨＤＤ装置５に保存されている。
【００１５】
それに加えて、このキーボード指定ソフトの実行に必要なデータファイルとして、図２に示すように、キーボード種別値＝１に対応した第１のキーコード変換設定ファイル２１、キーボード種別値＝２に対応した第２のキーコード変換設定ファイル２２、及びキーボード種別値＝３に対応した第３のキーコード変換設定ファイル２３と、キーボード管理ファイル２４と、事務コン・ソフトキー設定ファイル２５が、ＨＤＤ装置５に保存されている。
【００１６】
第１〜第３のキーコード変換設定ファイル２１〜２３は、いずれも図３に示すように、キーボードに配置された各キーの物理キーコードに対応して、それぞれそのキーに割当てられた論理キーコードを設定記憶してなるもので、第１のキーコード変換設定ファイル２１には、ノートＰＣキーボード１４における各キーの物理キーコードに対応して事務コンソフトに対する論理キーコードが設定されており、第２のキーコード変換設定ファイル２２には、デスクトップＰＣキーボード１７における各キーの物理キーコードに対応して事務コンソフトに対する論理キーコードが設定されており、第３のキーコード変換設定ファイル２３には、事務コン専用キーボード１８における各キーの物理キーコードに対応して事務コンソフトに対する論理キーコードが設定されている。
【００１７】
キーボード管理ファイル２４は、図４に示すように、各キーボード種別値１，２，３の中から指定されたキーボードに対応する種別値を記憶するとともに、事務コン・ソフトキーを使用するとき“１”にセットされるソフトキーフラグＳＫＦを記憶するものである。そして、このキーボード管理ファイル２４には、システム立上げ時の初期化処理において、キーボード種別値及びソフトキーフラグのデフォルト値としていずれも“１”が設定される。なお、デフォルトの値はこれに限定されるものではない。
【００１８】
事務コン・ソフトキー設定ファイル２５は、図５に示すように、キー名称とその論理キーコードとのリストを設定記憶してなるものである。ノートＰＣキーボード１４は、事務コン専用キーボード１８と比べてキー数が少ないため、事務コン専用キーボード１８の全てのキーをノートＰＣキーボード１４に個々に割当てることはできない。そこで本実施の形態では、ノートＰＣキーボード１４に割当てることができない事務コン専用キーボード１８のキーをソフトキーとして使用するべく、この割当不能なキーのキー名称とそのキーの論理キーコードのリストを前記事務コン・ソフトキー設定ファイル２５に設定している。
【００１９】
ＲＡＭ４には、特に図６に示すように、キーボード管理ファイル２４に記憶されているキーコード種別値により識別されるキーコード変換設定ファイル２１〜２３のデータが展開されるキーコード変換テーブル３１と、事務コン・ソフトキー設定ファイル２５のデータが展開されるソフトキー変換テーブル３２とが形成されている。
【００２０】
しかして、当該情報処理装置は、電源オンによるシステム立上げ後、ディスプレイ１５に表示される業務メニューの中から、ユーザがキーボード指定業務を選択すると、キーボード指定ソフトが起動する。これによりＣＰＵ２は、図７の流れ図に示すキーボード指定処理を開始する。
【００２１】
先ず、ＳＴ（ステップ）１としてＨＤＤ装置５からキーボード管理ファイル２４に設定されているキーコード種別値及びソフトキーフラグを読込む。また、ＳＴ２として図９に示すレイアウトのキーボード指定画面４０を表示させる。すなわち、当該情報処理装置で使用可能な３種類のキーボード（ノートＰＣキーボード１４，デスクトップＰＣキーボード１７，事務コン専用キーボード１８）を示す項目の中からどのキーボードを使用するかを指定するキーボード指定部４１と、事務コン・ソフトキー機能を使用するか否かを指定する事務コン・ソフトキー指定部４２と、指定の確定を宣言するＯＫボタン４３と、指定の取消を宣言するキャンセルボタン４４とが配置されたキーボード指定画面４０を表示させる。そして、このキーボード指定画面４０にキーボード管理ファイル２４から読込んだキーボード種別値及びソフトキーフラグを反映させる。この時点では、キーボード種別値及びソフトキーフラグがいずれもデフォルト値“１”なので、キーボード指定部４１では項目「ノートＰＣキーボード」が指定状態となり、事務コン・ソフトキー指定部４２では項目「使用する」が指定状態となる。
【００２２】
次に、ＣＰＵ２は、ＳＴ３としてキャンセルボタン４４が入力されるか、ＳＴ４としてＯＫボタン４３が入力されるのを待機する。そして、このボタン入力待機中に、キーボード指定部４１のいずれかの項目がマウスでクリックされると、そのキーボード項目を指定状態とする。また、事務コン・ソフトキー指定部４２のいずれかの項目がクリックされると、その項目を指定状態とする。
【００２３】
ボタン入力待機中において、キャンセルボタン４４がクリックされると、ＣＰＵ２は、ＳＴ１３の処理に進む。そして、キーボード指定画面４０を消去して、このキーボード指定処理を終了する。
【００２４】
ボタン入力待機中において、ＯＫボタン４３がクリックされた場合には、ＣＰＵ２は、ＳＴ５としてキーボード指定部４１で指定されている項目のキーボードを判別する。ここで、指定されたキーボードがノートＰＣキーボード１４であった場合にはキーボード管理ファイル２４から読込んだキーボード種別値を“１”とし（ＳＴ６）、デスクトップＰＣキーボード１７であった場合には当該キーボード種別値を“２”とし（ＳＴ７）、事務コン専用キーボード１８であった場合には当該キーボード種別値を“３”とする（ＳＴ８）。また、ノートＰＣキーボード１４が指定された場合には、事務コン・ソフトキー指定部４２で指定されている項目を判別し、「使用する」が指定されていた場合にはキーボード管理ファイル２４から読込んだソフトキーフラグを“１”とし（ＳＴ１０）、「使用しない」が指定されていた場合には当該ソフトキーフラグを“０”とする（ＳＴ１１）。デスクトップＰＣキーボード１７または事務コン専用キーボード１８が指定された場合には、事務コン・ソフトキー指定部４２で指定されている項目に係わらず、当該ソフトキーフラグを“０”とする（ＳＴ１１）。なお、デスクトップＰＣキーボード１７または事務コン専用キーボード１８が指定された場合には、事務コン・ソフトキー指定部４２の選択項目を自動的に「使用しない」とし、指定を行なえないようにしてもよい。
【００２５】
かくして、キーボード管理ファイル２４から読込んだキーボード種別値及びソフトキーフラグを決定したならば、ＣＰＵ２は、ＳＴ１２としてキーボード管理ファイル２４のデータを最新値に更新する。しかる後、ＣＰＵ２は、ＳＴ１３としてキーボード指定画面４０を消去して、このキーボード指定処理を終了する（キーボード指定手段）。
【００２６】
また、当該情報処理装置は、前記業務メニューの中から、ユーザが売上請求管理業務，見積管理業務，給与計算業務等の事務コン業務を選択すると、対応する事務コンソフトが起動する。これにより、ＣＰＵ２は、図８の流れ図に示す事務コン業務処理を開始する。
【００２７】
先ず、ＳＴ２１として各部の処理化処理を行う。この初期化処理において、ＲＡＭ４のキーコード変換テーブル３１及びソフトキー変換テーブル３２がクリアされる。次に、ＣＰＵ２は、ＳＴ２２としてキーボード管理ファイル２４に設定されているキーコード種別値及びソフトキーフラグを読込む。そして、ＳＴ２３としてキーボード管理ファイル２４から読込んだキーコード種別値を判定する。ここで、キーコード種別値が“１”であった場合には、ＣＰＵ２は、第１のキーコード変換設定ファイル２１に設定されている物理キーコード／論理キーコードの変換データを読込み（ＳＴ２４）、キーコード種別値が“２”であった場合には、第２のキーコード変換設定ファイル２２に設定されている物理キーコード／論理キーコードの変換データを読込み（ＳＴ２５）、キーコード種別値が“３”であった場合には、第３のキーコード変換設定ファイル２３に設定されている物理キーコード／論理キーコードの変換データを読込む（ＳＴ２６）。そして、ＳＴ２７としていずれかのキーコード変換設定ファイル２１〜２３から読込んだ物理キーコード／論理キーコードの変換データをキーコード変換テーブル３１にセットして、有効化する（変換ファイル有効化手段）。
【００２８】
次に、ＣＰＵ２は、ＳＴ２８としてキーボード管理ファイル２４から読込んだソフトキーフラグを判定する。ここで、ソフトキーフラグが“１”にセットされていた場合には、ＣＰＵ２は、ＳＴ２９として事務コン・ソフトキー設定ファイル２５に設定されているキー名称／論理キーコードリストデータを読込む。そして、ＳＴ３０としてこのキー名称／論理キーコードリストデータをソフトキー変換テーブル３２にセットして、有効化する（キーファイル有効化手段）。ソフトキーフラグが“０”にリセットされていた場合には、ＳＴ２９，ＳＴ３０の処理は行わない。
【００２９】
次に、ＣＰＵ２は、ＳＴ３１として最新のキーボード指定処理において指定されたキーボードのキー入力を待機する。すなわち、キーボード管理ファイル２４から読込んだキーボード種別値が“１”のときには、キーボードコントローラ６に接続されているノートＰＣキーボード１４からのキー入力を待機し、キーボード種別値が“２”または“３”のときには、キーボードインターフェイス１１に接続されているデスクトップＰＣキーボード１７または事務コン専用キーボード１８からのキー入力を待機する。なお、キーボード種別値が“２”または“３”のときにおいて、キーボードインターフェイス１１にキーボードが接続されていない場合には、「デスクトップＰＣキーボードを接続してください（キーボード種別値が“２”の場合）」や「事務コン専用キーボードを接続してください（キーボード種別値が“３”の場合）」等のエラーメッセージをディスプレイ１５に表示させて、ユーザにキーボードの接続を促すとよい。
【００３０】
キー入力待機中において、キー操作により該当するキーボードから物理キーコードが入力されると、ＣＰＵ２は、ＳＴ３２としてキーコード変換テーブル３１を参照して入力された物理キーコードを論理キーコードに変換する（キーコード変換手段）。そして、ＳＴ３３としてこの論理キーコードを事務コンソフトに送出してキー入力処理を実行する。（ソフトウェア実行手段）。
【００３１】
その後、ＣＰＵ２は、事務コンソフトが終了するまで、ＳＴ３１〜ＳＴ３３の処理を繰返す。そして、ＳＴ３４として事務コンソフトの終了を検知すると、ＣＰＵ２は、ＳＴ３５として各部の終了処理を行って、この事務コン業務処理を終了する。
【００３２】
また本実施の形態では、図示しないが、ソフトキーフラグが“１”にセットされているときに限り、ＳＴ３１のキー入力待機中において、マウスが右クリックされると、ＣＰＵ２は、マウスポインタの位置に項目「ソフトキー」を含む項目リストを表示させる。この状態で、項目「ソフトキー」をマウスポインタで指定すると、ＣＰＵ２は、ソフトキーが指示されたと判断して、図１０に示すように、ソフトキー変換テーブル３２に格納されているキー名称を読出し、そのリスト５１を表示させる。この状態で、リスト内のいずれかのキー名称が選択操作（クリック）されると、そのキー名称に対応してソフトキー変換テーブル３２に格納されている論理キーコードを読出し、事務コンソフトに送出してキー入力処理を実行するようになっている（ソフトウェア実行手段）。
【００３３】
このように本実施の形態のノート型パソコンからなる情報処理装置においては、装置本体１に実装されているノートＰＣキーボード１４以外にもデスクトップＰＣキーボード１７や事務コン専用キーボード１８を外付接続して使用することが可能である。そして、事務コン専用キーボード１８を使用して事務コンソフトの業務を処理する場合には、予めキーボード指定業務によって事務コン専用キーボード１８を指定しておく。こうすることにより、事務コンソフト起動時に、第３のキーボード変換設定ファイル２３に設定されている物理キーコード／論理キーコード変換データがキーコード変換テーブル３１にセットされて有効化されるので、事務コン専用キーボード１８を使用して所望する事務コンソフトを実行することができる。
【００３４】
同様に、デスクトップＰＣパソコン１７を使用して事務コンソフトの業務を処理する場合には、デスクトップＰＣパソコン１７を指定しておくことによって、第２のキーボード変換設定ファイル２２に設定されている物理キーコード／論理キーコード変換データがキーコード変換テーブル３１にセットされて有効化されるので、デスクトップＰＣパソコン１７を使用して所望する事務コンソフトを実行することができる。
【００３５】
一方、キーボードを外付せず、ノートＰＣキーボード１４を使用する場合も同様に、キーボード指定業務によってノートＰＣキーボード１４を指定する。また、ノートＰＣキーボード１４を使用する場合は、事務コン・ソフトキーの機能を使用するか否かを指定する。こうすることにより、事務コンソフト起動時に、第１のキーボード変換設定ファイル２１に設定されている物理キーコード／論理キーコード変換データがキーコード変換テーブル３１にセットされて有効化されるので、ノートＰＣキーボード１４を使用して所望する事務コンソフトを実行することができる。なお、本実施の形態のように、キーボード種別値及びソフトキーフラグのデフォルト値としていずれも“１”を設定しておくことによって、ノートＰＣキーボード１４を使用する場合にはキーボード指定業務を省略することができる。
【００３６】
ところで、事務コン・ソフトキーの機能を使用すると指定した場合には、事務コン・ソフトキー設定ファイル２５のキー名称／論理キーコードリストデータがソフトキー変換テーブル３２にセットされて有効化される。これにより、事務コンソフトの実行中において、ソフトキーを指示するとソフトキーの名称リストが表示され、このリストから所望するキー名称を選択操作すると、そのキー名称に対応した論理キーコードが入力処理される。
【００３７】
ノートＰＣキーボード１４は、事務コン専用キーボード１８と比較してキー数が少なく、事務コン専用キーボード１８の全てのキーをノートＰＣキーボード１４に割当てることはできない。そこで、例えば複数のキーが同時に入力されると１つのキーが入力されたものとみなしてキー数の不足を補う方法が従来からあるが、この場合には、ユーザがキーの組合せを覚えなければならず、操作性が悪くなる。
【００３８】
これに対して、本実施の形態では、不足しているキーを必要に応じてソフトキーとして一覧表示させて、その中から所望するキーを選択することにより入力可能としたので、キー数の少ないノートＰＣキーボード１４を用いても操作性が低下することなく事務コンソフトの業務を処理できる利点がある。したがって、例えば外出中はノードＰＣキーボード１４を使用し、在宅中は事務コン専用キーボード１８を使用するといった運用が可能となり、実務性を高めることができる。
【００３９】
なお、前記実施の形態では、３種類のキーボードを使い分ける場合を示したが、２種類や４種類以上のキーボードを使い分ける場合も、各々のキーボードに対応したキーコード変換ファイルを設けることによって本発明を実施することができる。
【００４０】
また、前記実施の形態では、事務用コンピュータとして使用することが可能なノート型パソコンに本発明を適用した場合を示したが、他の機能のコンピュータとして使用することが可能なノート型パソコン，デスクトップ型パソコン等の汎用パソコンや専用コンピュータ等に本発明を適用できるのは言うまでもない。
【００４１】
この他、ソフトキーの指示操作や選択操作をマウス以外の操作方法で行う等、本発明の要旨を逸脱しない範囲で種々変形実施可能であるのは勿論である。
【図面の簡単な説明】
【００４２】
【図１】本発明の一実施の形態である情報処理装置の要部構成を示すブロック図。
【図２】同情報処理装置のＨＤＤ装置に保存される主要なデータファイルを示す模式図。
【図３】図２のキーボード変換設定ファイルに格納されるデータの構造例を示す模式図。
【図４】図２のキーボード管理ファイルに格納されるデータの構造例を示す模式図。
【図５】図２の事務コン・ソフトキー設定ファイルに格納されるデータの構造例を示す模式図。
【図６】同情報処理装置のＲＡＭに形成される主要なメモリエリアを示す模式図。
【図７】同情報処理装置のＣＰＵが実行するキーボード設定処理の要部を示す流れ図。
【図８】同情報処理装置のＣＰＵが実行する事務コン業務処理の要部を示す流れ図。
【図９】キーボード設定画面の一例を示す模式図。
【図１０】事務コン・ソフトキー表示画面の一例を示す模式図。
【符号の説明】
【００４３】
１…装置本体、２…ＣＰＵ、６…キーボードコントローラ、１１…キーボードインターフェイス、１４…ノートＰＣキーボード、１７…デスクトップＰＣキーボード、１８…事務コン専用キーボード、３１…キーコード変換テーブル、３２…ソフトキー変換テーブル。
【図１】
2005115691.tif 000003
【図２】
2005115691.tif 000004
【図３】
2005115691.tif 000005
【図４】
2005115691.tif 000006
【図５】
2005115691.tif 000007
【図６】
2005115691.tif 000008
【図７】
2005115691.tif 000009
【図８】
2005115691.tif 000010
【図９】
2005115691.tif 000011
【図１０】
2005115691.tif 000012